(57)【要約】【課題】防犯装置のように屋外に配置され、熱源装置本体の作動に関連せずに作動する屋外装置を具備した熱源装置の提供を目的とした。【解決手段】給湯装置１は、屋外に配置される給湯装置本体２と、屋内に配置されるコントローラ３とが電気的に接続されたものである。防犯システムＡは、給湯装置本体２に給湯装置本体２の作動に関連せずに作動する人感センサ２０が内蔵され、接続されている。給湯装置本体２の制御部１０は、人感センサ２０が人を検知すると送風部１１のファンを作動させ、侵入者に対して威嚇動作を行う。【選択図】  図１
2004151932.tif 000002
【特許請求の範囲】
【請求項１】
屋外に設置される熱源装置本体と、屋内に設置され前記熱源装置本体の操作を行う操作手段とを備え、前記熱源装置本体には、屋外に配置され屋外の人の存在を検知する検知手段が接続されることを特徴とする防犯システム。
【請求項２】
屋外に設置される熱源装置本体を備え、前記熱源装置本体には人の存在を検知する検知手段が接続され、当該検知手段の検知信号に基づいて熱源装置本体が作動する威嚇動作を行うことを特徴とする防犯システム。
【請求項３】
検知手段の操作を操作手段によって行えることを特徴とする請求項１又は２に記載の防犯システム。
【請求項４】
検知手段の検知信号に基づき、操作手段及び／又は熱源装置本体が警報を発することを特徴とする請求項１乃至３のいずれかに記載の防犯システム。
【請求項５】
検知手段と、熱源装置本体との間の通信又は通電が途絶えた場合、操作手段が警報を発することを特徴とする請求項１乃至４のいずれかに記載の防犯システム。
【発明の詳細な説明】
【０００１】
【発明の属する技術分野】
本発明は防犯システムに関するものであり、特に屋外に設置される熱源装置本体に人の存在を検知する検知手段を具備したものに関する。
【０００２】
【従来の技術】
従来技術の熱源装置は、燃料の燃焼により発生した熱により湯水などを加熱する熱源装置本体と、当該熱源装置本体を操作するための操作手段とを有している。熱源装置本体は、排気等の都合で屋外に設置されることが多い。そのため、従来技術の熱源装置では熱源装置本体を操作する操作手段を屋内に設け、屋内の熱源装置本体と屋外の操作手段とを電気的に接続することにより熱源装置の利便性を向上させている。
【０００３】
従来より、熱源装置は、家屋の美観を損なわないために、家屋の裏側などの人目につかない場所に設置されることが多い。また、熱源装置は、配管等の都合上、浴室あるいは洗面所等のような水回り部分の近辺に設置される場合もある。家屋の裏側や浴室の近辺のように熱源装置が設置されることが多い場所は、無人になる機会が多く、防犯上の問題を有する。またさらに、浴室等には、換気のためにルーバー窓等が設置されていることが多い。ルーバー窓は、外部からでも比較的容易に取り外すことができるため、浴室等の水回り部分は、空き巣や泥棒の侵入口となることが多い。
【０００４】
そのため、従来は、侵入者を検知する赤外線センサや振動センサ等を備え、これらのセンサにより侵入者を検知した際に警報を発する防犯装置が別途浴室の窓等に設置されていた。また、例えば特許文献１の部屋監視装置のように、浴屋内における人の移動方向等を検知することにより侵入者を検知し、警報を発するものもある。
【０００５】
【特許文献１】特開２００２−４９９７３号公報
【０００６】
【発明が解決しようとする課題】
上記したように従来技術において家屋に熱源装置を設置するためには、屋外に熱源装置本体を設置し、熱源装置本体を操作する操作手段とを屋内に設置すると共に、熱源装置本体と操作手段との信号の送受信や電力の供給等のための配線を施す必要がある。また、従来技術において屋外にセンサ等の検知手段を設け、このセンサの検知信号に基づき作動する警報装置等を屋内に設けた防犯システムを設置するためには、センサと警報装置等とを電気的に接続する配線を別途施す必要があった。そのため、防犯システムの設置には相当の労力と費用を要するばかりか、家屋の外観を損ないかねないという問題を有していた。
【０００７】
そこで本発明は、上記した問題を解決すべく、容易に設置可能な防犯システムの提供を目的とした。
【０００８】
【課題を解決するための手段】
そこで、上記した課題を解決すべく提供される請求項１に記載の発明は、屋外に設置される熱源装置本体と、屋内に設置され前記熱源装置本体の操作を行う操作手段とを備え、前記熱源装置本体には、屋外に配置され屋外の人の存在を検知する検知手段が接続されることを特徴とする防犯システムである。
【０００９】
本発明の防犯システムは、熱源装置本体に接続された操作手段によって熱源装置本体の操作を行う熱源装置を備え、前記熱源装置本体に人の存在を検知する検知手段が接続されたものである。そのため、屋外に設置される検知手段と、屋内に設置される操作手段とは、熱源装置本体を介して接続されている。従って、例えば前記検知手段が人の存在を検知した場合に操作手段から警報が発信される構成とすれば、新たに屋内外を接続する配線等を施すことなく防犯システムを設置することができる。従って、本発明によれば、家屋の外観を損なうことなく防犯システムを設置することができ、さらに防犯システムの設置に要する労力や費用を抑制することができる。
【００１０】
本発明によれば、家屋の裏側や浴室の近辺のように熱源装置が設置されることが多く、防犯上の問題を有する場所における防犯対策を、大がかりな工事を行うことなく行うことができる。
【００１１】
請求項２に記載の発明は、屋外に設置される熱源装置本体を備え、前記熱源装置本体には人の存在を検知する検知手段が接続され、当該検知手段の検知信号に基づいて熱源装置本体が作動する威嚇動作を行うことを特徴とする防犯システムである。
【００１２】
本発明の防犯システムは、人の存在を検知する検知手段の検知信号に基づいて熱源装置が作動する。即ち、本発明の防犯システムは、熱源装置に接続された検知手段が人の存在を検知すると、熱源装置本体を作動させ、検知手段により検知された人に対してあたかも屋内に人が居り、熱源装置の使用を開始したかの様な錯覚を与えることができる。そのため、本発明の防犯システムによれば家屋の防犯対策を確実に行うことができる。
【００１３】
また、本発明の防犯システムは、検知手段の検知信号に基づいて熱源装置本体を作動させることにより威嚇動作を行うものであり、通常に熱源装置を使用する場合とほぼ同様の動作を行うものである。そのため、威嚇動作の際に発生する音の大きさは、通常に熱源装置を使用する場合と同等、あるいはそれ以下であり、例えば警報ブザーを鳴らす場合よりも遙かに小さいが、家屋に侵入しようとする者に対して相当の威嚇を行うことができる。従って、本発明の防犯システムによれば、家屋に侵入しようとする者に対して屋内に人が居るかのように錯覚させ威嚇することができる一方、検知手段が動物等を侵入者と誤認するなどして夜間等に誤作動を起こしてしまっても近隣に迷惑をかけずに済む。
【００１４】
また、上記した防犯システムは、検知手段の操作を操作手段によって行えることを特徴とするものであっても良い。（請求項３）
【００１５】
また、請求項４に記載の発明は、検知手段の検知信号に基づき、操作手段及び／又は熱源装置本体が警報を発することを特徴とする請求項１乃至３のいずれかに記載の防犯システムである。
【００１６】
本発明の防犯システムは、熱源装置本体を介して、検知手段と操作手段とが接続されており、検知手段が人の存在を検知した場合に操作手段及び／又は熱源装置本体から警報が発信されるものである。そのため、本発明によれば、熱源装置本体と検知手段とを接続する配線以外に防犯システム用の配線を新たに設置することなく防犯システムを設置することができる。
【００１７】
請求項５に記載の発明は、検知手段と、熱源装置本体との間の通信又は通電が途絶えた場合、操作手段が警報を発することを特徴とする請求項１乃至４のいずれかに記載の防犯システムである。
【００１８】
家屋等への侵入を試みる場合、侵入者は防犯装置の作動を抑制すべく防犯装置の配線を切断することが想定される。通常、防犯システムの配線が切断されると、防犯システムはその役割を果たすことができなくなる。しかし、本発明の防犯システムは、熱源装置本体と検知手段とを繋ぐ配線が切断されるなどして通信又は通電が途絶えた場合に警報を発する構成となっている。そのため、本発明によれば、侵入者によって配線が切断されるなどしても、警報音を発生させ屋内への侵入を未然に防止することができる。
【００１９】
また、本発明の防犯システムにおいて、検知手段は、熱源装置本体に収納されていても、熱源装置本体から離れた場所に設置されていてもよいが、検知手段の検知精度が十分である場合には、検知手段と熱源装置本体とを接続する配線を熱源装置本体内に収納した構成とすることが好ましい。
【００２０】
【発明の実施の形態】
続いて、本発明の一実施形態である防犯システムについて図面を参照しながら詳細に説明する。
図１は、本実施形態の防犯システムの装置構成図である。また、図２は、図１に示す給湯装置が備える熱源装置本体の内部構造を示す模式図である。図３は、本実施形態の防犯システムにおける信号の送受信を示す模式図である。図４は、図１に示す防犯システムの変形例を示す装置構成図である。
【００２１】
図１においてＡは本発明の一実施形態である防犯システムである。防犯システムＡは、大別して給湯装置１と人感センサ２０（検知手段）とを具備している。また、防犯システムＡが備える給湯装置１（熱源装置）は、屋外に設置される給湯装置本体２と、屋内に設置されるコントローラ３（操作手段）とを具備している。図２に示すように、給湯装置本体２は、本体ケース５の内部に、燃焼部６と、熱交換部７と、排気筒８と、給湯装置１の作動を制御する制御部１０と、燃焼部６に燃焼用空気を供給する送風部１１とを内蔵している。給湯装置本体２は、ガス導入管１３を介して外部から導入された燃料を燃焼部６において燃焼し、これによって発生した熱により、給水管１５や浴槽戻り配管１６を介して給湯装置本体２の外部から供給された湯水を熱交換部７において加熱するものである。熱交換部７において加熱された湯水は、浴槽往き配管１７を介して浴槽１２内への落とし込みや、給湯配管１８を介して給湯に使用される。制御部１０は、燃焼部６や送風部１１を始めとする給湯装置本体２の各部に電気的に接続されており、給湯装置本体２の作動を司るものである。
【００２２】
給湯装置本体２の本体ケース５には、給湯装置本体２の近辺における人の有無を検知する人感センサ２０（検知手段）が内蔵されており、上記した制御部１０に接続されている。人感センサ２０は、人の存在を検知する検知部２１が露出するように本体ケース５の前面に固定されており、人感センサ２０と制御部１０とを繋ぐ配線は本体ケース５内に収納されている。人感センサ２０は、赤外線センサやＣＣＤイメージセンサ（電荷結合素子画像センサ）等のように光を検知するセンサや、焦電型温度センサ、電波センサ、超音波距離計測装置等、人の存在を検知することができるものであれば、あらゆるものを採用することができる。人感センサ２０は、給湯装置本体２の作動の制御を行う制御部１０に電気的に接続されている。人感センサ２０は、図３に示すように制御部１０から電力の供給を受けて作動すると共に、その検知信号（人検知信号）を制御部１０に送信する。
【００２３】
給湯装置本体２に内蔵されている制御部１０には、コントローラ３が電気的に接続されている。コントローラ３は、制御部１０と信号の送受信を行い、屋外に設置されている給湯装置本体２を屋内から遠隔操作するものである。制御部１０は、コントローラ３から受信する信号に基づき、燃焼部６や送風部１１を作動させ、湯水を加熱する。また、コントローラ３は、屋外に設置されている人感センサ２０の電源のＯＮ／ＯＦＦ等の操作や、後述する防犯動作に関する設定を行うことができるものである。
【００２４】
コントローラ３および本体ケース５には、警報ブザー２５，２６が内蔵されている。警報ブザー２５，２６は、それぞれ制御部１０に接続されており、人感センサ２０が人の存在を検知することを条件として作動して警報音を発するものである。
【００２５】
続いて、本実施形態の防犯システムＡに特有の動作である防犯動作について説明する。
燃焼作動の停止時に人感センサ２０が人を検知すると、この検知信号（人検知信号）が制御部１０に入力される。制御部１０は、人感センサ２０から人検知信号を受信すると防犯動作を開始する。制御部１０に人検知信号が入力されると、制御部１０は、先ず侵入者に対して威嚇を行う威嚇モードで動作を開始させる。さらに具体的には、制御部１０に人検知信号が入力されると、威嚇モードの第１段階として、制御部１０は給湯装置本体２へガス供給を行うガス導入管１３に設けられているガス導入弁（図示せず）を閉止状態にして、燃焼部６へのガスの供給を阻止する。
【００２６】
続いて制御部１０は、威嚇モードの第２段階として疑似着火動作を開始する。即ち、制御部１０は、給湯装置本体２の近辺に居る侵入者に対してあたかも屋内に人が居り、給湯装置１の使用を開始したかの様に錯覚させるべく、送風部１１に内蔵されているファン（図示せず）を一定時間にわたって作動させて作動音を発生させる。この時、制御部１０は、コントローラ３の表示部４に給湯装置本体２が威嚇モードで動作していることを表示させる。
【００２７】
威嚇モードで疑似着火動作を開始してから所定時間が経過すると、制御部１０は威嚇モードを終了する。ここで、威嚇モードが終了しても人感センサ２０が人の存在を検知し続けている場合、制御部１０は防犯動作の動作モードを警報モードへと移行させる。制御部１０は、防犯動作の動作モードが警報モードに移行すると、屋内にあるコントローラ３および屋外にある本体ケース５に設置されている警報ブザー２５，２６に通電し、所定時間にわたって警報音を発生させる。
【００２８】
制御部１０は、警報モードで防犯動作を行っている最中に人感センサ２０の検知信号、即ち人検知信号が途絶えると、警報ブザー２５，２６への通電を停止し、警報音を停止させる。
【００２９】
また、本実施形態の防犯システムＡでは、制御部１０と人感センサ２０との通信および通電が途絶えた場合、制御部１０は、制御部１０と人感センサ２０とを繋ぐ配線が切断されたものと判断し、断線モードで防犯動作を行う。即ち、防犯動作の開始後に制御部１０と人感センサ２０との通信および通電が途絶えた場合、制御部１０は警報ブザー２５，２６を作動させ、警報音を発する。
【００３０】
上記したように、本実施形態の防犯システムＡにおいて、給湯装置１は、燃焼作動により浴槽１２への落とし込みや給湯に使用される湯水の加熱に加えて、防犯動作を行うものである。そのため、給湯装置１によれば、別途防犯装置の設置を行わなくても防犯対策を行うことができる。
【００３１】
また、本実施形態の給湯装置１では、熱源装置本体１とコントローラ３とを繋ぐ通常の熱源装置の設置作業のみを行えば、防犯システムＡの設置も行える。そのため、本発明によれば、防犯装置の設置のために別途大がかりな工事を行う必要が無く、容易かつ安価に防犯装置の設置を行うことができる。
【００３２】
本実施形態の防犯システムＡは、人感センサ２０が人の存在を検知すると、制御部１０が給湯装置本体２を作動させるものであるため、侵入者等に対してあたかも屋内に人が居り、給湯装置１の使用を開始したかの様な錯覚を与え、屋内への侵入を思いとどまらせることができる。また、防犯システムＡが威嚇モードで動作する場合に発生する騒音は、送風部１１のファンの回転によるものであるため、通常に熱源装置を使用する場合とほぼ同等、あるいはそれ以下である。また防犯システムＡでは、威嚇モードで給湯装置本体２が疑似着火動作を行い威嚇動作を行ってもなお人感センサ２０が引き続き人を検知している場合に限って、制御部１０による防犯動作が警報音を発する警報モードへと進行する。従って、防犯システムＡは、人感センサ２０が動物等を侵入者と誤認し、夜間等に誤作動を起こしてしまっても、近隣に及ぼす迷惑を最小限に抑制することができる。
【００３３】
またさらに、防犯システムＡは、人感センサ２０と給湯装置本体２とを繋ぐ配線が切断され、制御部１０と人感センサ２０との通信が途絶えると、給湯装置本体２に設置された警報ブザー２６が警報音を発する仕組みになっている。そのため、防犯システムＡによれば、侵入に備えて配線を切断されてしまっても、警報音を発生させ屋内への人の侵入を未然に防止することができる。
【００３４】
本実施形態において、防犯システムＡは警報ブザー２５，２６によって警報を行うものであったが、本発明はこれに限定されるものではなく、警報ブザー２５，２６のいずれか一方あるいは双方は、発光装置等に代表される他の警報装置であっても良い。また、防犯システムＡは、警報ブザー２５，２６に加えて発光装置等の他の警報装置を併設したものであっても良い。さらに具体的には、上記した防犯システムＡは、屋外に設置される給湯装置本体２の本体ケース５に設けられている警報ブザー２６に代って発光装置を備えた構成であってもよい。かかる構成によれば、誤作動により警報音を発すると近隣に迷惑が及ぶと想定される場所であっても十分な防犯性能を発揮することができる。
【００３５】
本実施形態の防犯システムＡでは、人感センサ２０が制御部１０に接続され、人感センサ２０の作動に要する電力の供給を受ける構成であったが、本発明はこれに限定されるものではない。さらに具体的には、人感センサ２０は、太陽電池や乾電池等から電力の供給を受けるものであっても良い。
【００３６】
本実施形態の防犯システムＡは、上記したように威嚇モードから警報モードに至る一連の防犯動作を行うものであったが、本発明はこれに限定されるものではなく、例えば警報モードにおいて警報ブザー２５，２６が警報音を発してから所定時間が経過するなどするとコントローラ３から警備会社等へ通報する構成とすることも可能である。
【００３７】
また、本実施形態の防犯システムＡは、給湯装置本体２内に人感センサ２０を内蔵したものであったが、本発明はこれに限定されるものではなく、例えば図４に示すように人感センサ２０を給湯装置本体２から離れた壁面等に設置することも可能である。また、本発明の防犯システムは、人感センサ２０を多数個具備したものであっても良い。さらに、本発明の防犯システムは、給湯装置本体２に人感センサ２０を接続する接続端子を備え、この接続端子に人感センサ２０を接続する構成とすることも可能である。
【００３８】
防犯システムＡは、威嚇モードと警報モードとからなる２段階の防犯動作を行うものであったが、本発明はこれに限定されず、いずれか一方のモードのみで防犯動作を行うものであっても良い。
【００３９】
【発明の効果】
請求項１に記載の発明によれば、防犯システムの設置に要する労力や費用を抑制することができる。
【００４０】
請求項２に記載の発明によれば、熱源装置本体を作動させることにより侵入者に対してあたかも屋内に人が居り、熱源装置の使用を開始したかの様な錯覚を与えることができる。
【００４１】
請求項３に記載の発明によれば、検知手段のＯＮ／ＯＦＦ等の操作を屋内から行うことができる。
【００４２】
請求項４に記載の発明によれば、熱源装置本体と検知手段とを接続する配線以外に防犯装置用の配線を新たに設置することなく防犯システムを設置することができる。
【００４３】
請求項５に記載の発明によれば、侵入者により故意に防犯システムの配線が切断された場合に警報音を発生させ、侵入者の屋内への侵入を防止することができる。
【図面の簡単な説明】
【図１】本発明の一実施形態である防犯システムの装置構成図である。
【図２】図１に示す給湯装置が備える熱源装置本体の内部構造を示す模式図である。
【図３】本実施形態の防犯システムにおける信号の送受信を示す模式図である。
【図４】図１に示す防犯システムの変形例を示す装置構成図である。
【符号の説明】
Ａ  防犯システム
１  給湯装置（熱源装置）
２  給湯装置本体（熱源装置本体）
３  コントローラ（操作手段）
５  本体ケース
１０  制御部
２０  人感センサ（検知手段）
２５，２６  警報ブザー
【図１】
2004151932.tif 000003
【図２】
2004151932.tif 000004
【図３】
2004151932.tif 000005
【図４】
2004151932.tif 000006